(57)【要約】【課題】  ケーブルハーネスを容易に配置することのできる旋回アームを提供する。【解決手段】  天井取付スタンドの旋回アーム２１は、中空形状であり、互いに対向する上側部分５と底側部分６とを備える。側面開口１１は、アームの外形横断面に対応するものであり、カバー３によって閉鎖することができる。上側部分５における上部開口９は、軸受点用に設けられており、この上部開口に対向して底側部分６に取付開口４が設けられている。アーム２１の開口９に対向して底側部分６に取付開口４を設けることにより、ケーブルハーネスまたはチューブパッケージを、容易に、上部開口９からアーム２１内に挿入することができる。【選択図】      図２
2004337604.tif 000002
【特許請求の範囲】
【請求項１】
中空形状の天井取付スタンドの旋回アームであって、
上側部分（５）と、この上側部分に対して対向する底側部分（６）とを備え、
側面開口（１１）は、外形横断面に対応し、かつカバー（３）によって閉鎖され得るものであり、
上側部分（５）には、軸受点用に上部開口（９）が設けられており、
底側部分（６）には下部取付開口（４）が設けられており、この下部取付開口は、前記上部開口に対向して配置される、天井取付スタンドの旋回アーム。
【請求項２】
前記取付開口（４）は、底側部分（６）上の切込みによって形成されている、請求項１に記載の旋回アーム。
【請求項３】
前記取付開口（４）は、前記上部開口を超える大きさである、請求項１または２に記載の旋回アーム。
【請求項４】
前記取付開口（４）および側面開口（１１）は、一体部品に形成されている、請求項１〜３のいずれかに記載の旋回アーム。
【請求項５】
前記取付開口（４）は、左エッジ（７）と、右エッジ（８）とを備え、前記２個のエッジを互いに対して接続する取り外し可能ブラケット（１２）が、前記取付開口（４）に向かう方向で側面開口（１１）に設けられている、請求項１〜４のいずれかに記載の旋回アーム。
【請求項６】
前記ブラケット（１２）の長さが調節可能である、請求項１〜５のいずれかに記載の旋回アーム。
【請求項７】
前記側面開口（１１）を覆う側面カバー（３）と、前記取付開口（４）を覆うカバー（２）とを備える、請求項１〜６のいずれかに記載の旋回アーム。
【発明の詳細な説明】
【技術分野】
【０００１】
この発明は、天井取付スタンドの旋回アームに関するものである。
【背景技術】
【０００２】
天井取付式の医療スタンドは、医療モニター、人口呼吸装置、洗浄ポンプ等のような医療機器の頭上取付用に用意される。それらは、例えば、看者の手術、集中治療または検査に必要なシステムに適合するように、手術室や集中治療ユニット内等で使用される。
【０００３】
天井取付式スタンドは、少なくとも一つの垂直柱と、一つの水平旋回アームと、スタンドヘッドと呼ばれる機器キャリアとを備える。垂直柱と水平旋回アームとは、旋回し得るように回動接続（ピボット接続）によって天井に取り付けられている。機器キャリアは、必要な機器に適合するように設けられている。回動可能に支持されたアームは、スタンドヘッドが所望の半径でスウィングできるようにし、こうして看者へのアクセスを容易にする。スタンドヘッドは、当該スタンドヘッドを所望の位置にまで旋回させるように設けられたハンドルを備える。
【０００４】
スタンドヘッドは、垂直方向に調節可能なアームに取り付けられることができる。この場合には、スタンドヘッドは、旋回するのみならず、アームをモータで動かすことによってその垂直位置までをも調節することができるようになる。上昇運転は、操作要素またはスイッチによって行なわれる。操作要素は、ハンドル内に設けられる。
【０００５】
電流、圧縮空気、酸素および他の医療用ガス等のための供給ラインおよびチューブの全てが、天井から出て軸受点を経由して柱状要素および旋回アーム内に配置されてスタンドヘッドにまで導かれる。そこでは、それらは、プラグ接続を介して機器に接続される。このことは、ケーブルおよびチューブを床上に置く必要性を無くし、したがって、床上のケーブルやチューブに躓いたりする危険性を無くすことができる。
【０００６】
チューブおよびケーブルは、組み合わされてケーブルハーネスまたはチューブパッケージを形成し、柱状要素、軸受点および旋回アームを通過する経路を取る。取り外しのできるカバーが、旋回アームに対して横方向から取り付けられる。ケーブル結合ハーネスまたはチューブパッケージが、柱状要素と旋回アームとの間の接続または軸受点を通過する、あるいは２個の旋回アーム間の接続または軸受点を通過する経路を取ることができるようにするために、ケーブルハーネスを結合できるようにアームの側面カバーを取り外す。
【発明の開示】
【発明が解決しようとする課題】
【０００７】
閉鎖したアームの形状ゆえ、上から導かれたケーブルハーネスを直接旋回アームの中に入れることはできないので、ケーブルハーネスをまず側面開口から外に引っ張り出し、その後１８０度向きを変え、その後側面開口の中に再挿入して、旋回アームの中に押込むことになる。しかしながら、この取付作業は、非常に複雑であり、時間もかかるので、コスト高となる。またケーブルハーネスおよびチューブパッケージを非常に小さい半径で曲げることになるので、チューブのもつれや、高感度ケーブルの破損の危険がある。
【０００８】
それゆえに、この発明の目的は、ケーブルハーネスを容易に配置することのできる旋回アームを提供することである。
【課題を解決するための手段】
【０００９】
上記の課題は、請求項１に記載の天井取付スタンドによって解決できる。更なる有利な展開は、従属形式の請求項に記載されている。
【００１０】
アームの開口と逆の位置で、底部に取付開口を設けることにより、ケーブルハーネスまたはチューブパッケージの挿入がかなり容易になる。
【００１１】
取付開口は、底部の切込みによって形成される。当然のことながら、取付開口を、例えば図１に示すように、上部に形成することもできる。
【００１２】
取付開口と側面開口とを組み合わせることにより、ケーブルハーネスまたはチューブパッケージの手作業による方向転換をかなり単純化でき、有利になる。
【００１３】
側面開口と取付開口との間の縦方向において調節できる取り外し可能ブラケットを設けることにより、アームまたは開口のいかなる変形も防止でき、あるいは作業をそのままの状態でおいておくことができる。
【００１４】
この発明を、図面を参照しながら好ましい実施形態を用いて詳細に説明する。
【発明を実施するための最良の形態】
【００１５】
図１に示すように、天井取付スタンドは、垂直柱２０に取り付けられたスタンドヘッド１９を備える。柱２０は、水平旋回アーム２１に取り付けられている。アーム２１は、別の水平旋回アーム２３に回動可能に連結されている。水平旋回アーム２３は、ピボット接続２６および短い垂直柱ピース２４を介して、天井取付ホルダー２５に取り付けられている。
【００１６】
アーム２１は、中空形状であり、上側部分５と底側部分６とを備える。図中の左手側端部領域に取付開口１が設けられており、この開口は、上部に向かって開いていて、カバー２によって閉鎖される。図中の右手側端部領域に取付開口４（図１では見えない）が設けられており、この開口は、底部に向かって開いていて、カバー２によって閉鎖され得る。側面方向から見て、アーム２１は、例えば図２に示すように、側面開口１１を閉鎖する取り外し可能なカバー３を備える。
【００１７】
図２〜図４は、図１では見えなかった取付開口４を示している。取付開口４は、アーム２１の右手側端部領域であって底側部分６上に位置している。取付開口４は、四角形であり、左エッジ７と右エッジ８とを有する。取付開口４と対向して、ピボット接続２２が取り付けられるべき軸受点用の開口９がアーム２１に設けられる。
【００１８】
取付開口４は、開口９を超える大きさとされている。図示した実施形態において、取付開口４は、側部外方エッジ１０にまで延びている。その結果、取付開口４は、直接側面開口１１に接続される。側面開口１１と取付開口４との組合せによって形成される開口は、十分大きいので、図３に示すように、ケーブルハーネスまたはチューブパッケージ（図示せず）を手作業で軸受点の開口９からアーム２１内に直接導くことを可能にする。こうして、縫うように複雑に導くこと、そしてそれに続く１８０度の曲げ、およびアーム２１内への戻し作業を不要にできる。
【００１９】
取付開口４が側面開口１１に組み合わされているので、左エッジ７および右エッジ８は最早互いに対して直接接続されない。もしもアーム２１が、アームの長さ方向に見て取付開口４および開口９に対して反対の位置にある他方側で軸方向の負荷を受けるならば、左エッジ７および右エッジ８は変形する。その結果、取付開口４用のカバー２も、側面開口１１用のカバー３も、対応する開口内に嵌らなくなる。
【００２０】
このような変形を避けるために、ブラケット要素１２が設けられる。このブラケット要素１２は、図３において単一部品として明瞭に示されている。ブラケット要素１２は縦方向領域１３を備えており、縦方向領域１３は、その両端にほぼ直角に曲がった曲げ領域１４、１５を有している。曲げ領域１４，１５は、アームの前面側に設けられた穴１６、１７内に嵌り、左エッジ７と右エッジ８とを一緒になって保持する。
【００２１】
ブラケット要素１２にはテンションナット２７が設けられており、細長い領域１３の長さを調節できるようになっている。ブラケット要素１２の作用は、以下に詳細に説明する。もしもアーム２１が取付開口４に対して反対側の位置から吊下げられるのであれば、取付開口４に設けられた自由端がアームの自重によって下方に引っ張られ、ブラケット１２に張力が作用する。ケーブルハーネスまたはチューブパッケージを負荷のかかっているスタンドに配置するために、まず取付開口４用のカバー２および側面開口１１用の側面カバー３が取り外される。引き続いて、テンションナット２７を回転して、ブラケット１２からテンションを緩和する。その状態で、曲がった端部１４および１５を何らの困難無く穴１６および１７から引出すことができ、こうして取付開口４および側面開口１１の組合せからの支障の無いアクセスを与えることができる。その後、ケーブルハーネスまたはチューブパッケージ（図示を省略）を、容易な手作業で所望の方向に置くことができる。
【００２２】
ブラケット１２をアーム２１から取り外すとき、アーム２１の外形横断面が変形する。左エッジ７と右エッジ８との間の間隔が変化する。その結果、カバー２または側面カバー３を困難無く開口上に再取付することが不可能になる。それゆえ、カバーの取付を容易にするために、ブラケット１２は、テンションナット２７によって適当な長さに調節される。この適当な長さは、２個の穴１６および１７の間の現時点での間隔に対応する。その後、ブラケット１２の曲げ部分１４および１５が再び穴１６および１７内に嵌められる。
【００２３】
その後、左エッジ７と右エッジ８との間の間隔を、テンションナット２７を適宜回転させることにより調節する。こうして、カバー２および側面カバー３の両者を、何らの困難無く穴４および１１内に再挿入することができる。カバー２は、ガイドレール１８の中に押し入れられる。カバーには、図示していないが、そこにプラグ−インする（嵌合する）適当なエッジが設けられている。
【００２４】
図３に示すように、取付開口４の端部に、スロット２６が設けられている。カバー２の突起（図示省略）は、スロット２６の中に押し入れられる。最終的に、図４に示すように、側面開口１１を閉鎖するために、側面カバー３を、ねじを介して、アーム２１の開いた外形横断面に固定する。
【００２５】
図４はアーム２１を示しており、カバー２が取付開口４を閉鎖し、側面カバー３が側面開口１１を閉鎖している。図示していないが、カバーは、ブラケット１２に適合するために、アーム２１の内側に向く側に窪みを有している。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２７】
この発明は、天井取付スタンドに有利に利用され得る。
【図面の簡単な説明】
【００２８】
【図１】医療用天井取付スタンドの全体図を示す斜視図である。
【図２】この発明に従った旋回アームの斜視図である。
【図３】図２に示す旋回アームの分解斜視図である。
【図４】この発明に従った旋回アームの斜視図である。
【符号の説明】
【００２９】
１  取付開口、２  カバー、３  側面カバー、４  取付開口、５  上側部分、６  底側部分、７  左エッジ、８  右側エッジ、９  開口、１０  外側方エッジ、１１  側面開口、１２  ブラケット要素、１３  縦方向部分、１４  曲げ部分、１５  曲げ部分、１６  穴、１７  穴、１８  ガイドレール、１９  スタンドヘッド、２０  垂直柱、２１  水平旋回アーム、２２  ピボット接続、２３  水平旋回アーム、２４  短い垂直柱ピース、２５  天井取付ホルダー、２６  スロット、２７  テンションナット。
【図１】
2004337604.tif 000003
【図２】
2004337604.tif 000004
【図３】
2004337604.tif 000005
【図４】
2004337604.tif 000006